(57)【要約】【課題】本考案は、建造物の玄関、庭先等に不審者が接近した場合に監視カメラの設置箇所の判断が難しく、且つ、不審者の顔画像を屋内において明瞭に撮像することができ、十分な防犯機能を発揮し得る防犯装置を提供する。【解決手段】本考案の防犯装置は、建造物の出入口、周辺、庭先等々から選ばれる位置に立設配置した一定長さ又は伸縮可能で設置位置の変更可能なポール２と、該ポール２における被撮像者の顔位置に相当する高さの位置に設けた小穴６に撮像面を臨ませて組み込んだ小形カメラ７と、前記ポール２に組み込んだ被撮像者を検出するセンサ９と、前記小形カメラ７による撮像画像をモニタ及び／又は録画する画像監視手段と、前記センサ９による被撮像者の検出信号を基に小形カメラ７の撮像制御及び前記画像監視手段のモニタ及び／又は録画の制御を行う制御手段とを有するものである。【選択図】図２
0003109373.tif 000002
【実用新案登録請求の範囲】
【請求項１】
建造物の出入口、周辺、庭先等から選ばれる位置に立設配置した一定長さ又は伸縮可能で設置位置の変更可能なポールと、
該ポールにおける被撮像者の顔位置に相当する高さの位置に設けた小穴に撮像面を臨ませて組み込んだ撮像手段と、
該撮像手段による撮像画像をモニタ及び／又は録画する画像監視手段と、
を有することを特徴とする防犯装置。
【請求項２】
建造物の出入口、周辺、庭先等から選ばれる位置に立設配置した一定長さ又は伸縮可能で設置位置の変更可能なポールと、
該ポールにおける被撮像者の顔位置に相当する高さの位置に設けた小穴に撮像面を臨ませて組み込んだ撮像手段と、
前記ポールに組み込んだ被撮像者を検出する検出手段と、
前記撮像手段による撮像画像をモニタ及び／又は録画する画像監視手段と
前記検出手段による被撮像者の検出信号を基に撮像手段の撮像制御及び前記画像監視手段のモニタ及び／又は録画の制御を行う制御手段と、
を有することを特徴とする防犯装置。
【請求項３】
建造物の出入口、周辺、庭先等から選ばれる位置に立設配置した一定長さ又は伸縮可能で設置位置の変更可能なポールと、
該ポールにおける被撮像者の顔位置に相当する高さの位置に設けた小穴に撮像面を臨ませて組み込んだ撮像手段と、
前記ポールに組み込んだ被撮像者を検出する検出手段と、
前記ポールに組み込んだ防犯ライトと、
前記撮像手段による撮像画像をモニタ及び／又は録画する画像監視手段と
前記検出手段による被撮像者の検出信号を基に撮像手段の撮像制御、前記防犯ライトの点灯制御、前記画像監視手段のモニタ及び／又は録画の制御を行う制御手段と、
を有することを特徴とする防犯装置。
【請求項４】
建造物の出入口、周辺、庭先等から選ばれる位置に立設配置した一定長さ又は伸縮可能で設置位置の変更可能なポールと、
該ポールにおける被撮像者の顔位置に相当する高さの位置に設けた小穴に撮像面を臨ませて組み込んだ撮像手段と、
前記ポールに組み込んだ被撮像者を検出する検出手段と、
前記ポールに組み込んだ防犯ライトと、
前記ポールに組み込んだ発音手段と、
前記撮像手段による撮像画像をモニタ及び／又は録画する画像監視手段と
前記検出手段による被撮像者の検出信号を基に撮像手段の撮像制御、前記防犯ライトの点灯制御、前記発音手段の発音制御、前記画像監視手段のモニタ及び／又は録画の制御を行う制御手段と、
を有することを特徴とする防犯装置。
【請求項５】
建造物の出入口近傍領域又は壁面近傍領域に立設した雨樋状の立設体と、
該立設体における被撮像者の顔位置に相当する高さの位置に設けた小穴に撮像面を臨ませて組み込んだ撮像手段と、
該撮像手段による撮像画像をモニタ及び／又は録画する画像監視手段と、
を有することを特徴とする防犯装置。
【請求項６】
建造物の出入口近傍領域又は壁面近傍領域に立設した雨樋状の立設体と、
該立設体における被撮像者の顔位置に相当する高さの位置に設けた小穴に撮像面を臨ませて組み込んだ撮像手段と、
前記立設体に組み込んだ被撮像者を検出する検出手段と、
前記撮像手段による撮像画像をモニタ及び／又は録画する画像監視手段と
前記検出手段による被撮像者の検出信号を基に撮像手段の撮像制御及び前記画像監視手段のモニタ及び／又は録画の制御を行う制御手段と、
を有することを特徴とする防犯装置。
【請求項７】
建造物の出入口近傍領域又は壁面近傍領域に立設した雨樋状の立設体と、
該立設体における被撮像者の顔位置に相当する高さの位置に設けた小穴に撮像面を臨ませて組み込んだ撮像手段と、
前記立設体に組み込んだ被撮像者を検出する検出手段と、
前記立設体に組み込んだ発音手段と、
前記撮像手段による撮像画像をモニタ及び／又は録画する画像監視手段と、
前記検出手段による被撮像者の検出信号を基に撮像手段の撮像制御、発音手段の発音制御及び前記画像監視手段のモニタ及び／又は録画の制御を行う制御手段と、
を有することを特徴とする防犯装置。
【考案の詳細な説明】
【技術分野】
【０００１】
本考案は、防犯装置に関し、詳しくは、一般住宅や店舗等々の建造物の出入口、壁面、庭先等及び建造物内に設置して不審者の侵入を的確に防犯・監視する防犯装置に関するものである。
【背景技術】
【０００２】
従来、一般住宅や商店等の建造物の玄関や勝手口、庭先等からの不審者の侵入を防止又は監視するために、玄関や勝手口等の近傍の壁面等に監視カメラや不審者を検出する人感センサを取り付け、不審者の侵入検出、監視カメラによる不審者の撮像、更には建造物内に設置しているＴＶモニタ等による画像監視を行うようにした防犯装置が種々提案されている。
【０００３】
しかしながら、従来の防犯装置の場合、特に監視カメラの設置態様が一見して明確に判別できるものが殆どである。このため、建造物内への侵入を試みようとする不審者は、直ちに監視カメラの撮像領域を判断することができ、その撮像領域外の箇所から建造物内へ侵入し、家財の盗難等を行うことが可能であるという問題を包含していた。
【０００４】
特許文献１には、建造物の壁面に人感センサ、監視カメラを取り付け、不審者の接近を人感センサで検出し、これを基に監視カメラを作動し、建造物内に設置しているビデオデッキ、テレビを利用して監視カメラが撮像した不審者の画像を録画したりモニタするように構成した防犯監視用カメラシステムが提案されている。
【０００５】
しかし、この特許文献１の防犯監視用カメラシステムの場合においても、監視カメラが建造物の壁面に外部から視認可能に取り付けられているため、上述した場合と同様、不審者は、直ちに監視カメラの撮像領域を判断することができ、その撮像領域外の箇所から建造物内へ侵入し、家財の盗難等を行うことが可能であるという問題を包含している。
【０００６】
また、上述した監視カメラは、不審者の画像を斜め上方から撮像する配置であるため、当該不審者の顔を明瞭に撮像することは難しく、従って、ビデオデッキ、テレビにより不審者の姿を確認できたとしてもその顔まで明瞭に識別することは難しく、十分な防犯機能を発揮し得ないという問題も包含している。
【特許文献１】特開平０９−２２４２３８号公報
【考案の開示】
【考案が解決しようとする課題】
【０００７】
解決しようとする問題点は、建造物の玄関、庭先等に不審者が接近した場合に監視カメラの設置箇所の判断が難しく、且つ、屋内において不審者の顔画像を明瞭に撮像することができ、十分な防犯機能を発揮し得る防犯装置が存在しない点である。
【課題を解決するための手段】
【０００８】
本考案の防犯装置は、建造物の出入口、周辺、庭先等から選ばれる位置に立設配置した一定長さ又は伸縮可能で設置位置の変更可能なポールと、該ポールにおける被撮像者の顔位置に相当する高さの位置に設けた小穴に撮像面を臨ませて組み込んだ撮像手段と、該撮像手段による撮像画像をモニタ及び／又は録画する画像監視手段とを有することを最も主要な特徴とする。
【考案の効果】
【０００９】
本考案によれば、以下の効果を奏する。
請求項１記載の考案によれば、建造物の玄関、庭先等に不審者が接近した場合に、不審者に撮像手段の存在を悟られることなくポールの小穴に撮像面を臨ませて組み込んだ撮像手段により不審者の顔画像を明瞭に撮像し、屋内において画像監視手段により撮像画像をモニタ及び／又は録画することができ、十分な防犯機能を発揮し得る防犯装置を提供することができる。
【００１０】
請求項２記載の考案によれば、建造物の玄関、庭先等に不審者が接近した場合に、検出手段により不審者の存在を検出し、これを基に不審者に撮像手段の存在を悟られることなくポールの小穴に撮像面を臨ませて組み込んだ撮像手段により不審者の顔画像を明瞭に撮像し、屋内において撮像手段による撮像画像を画像監視手段によりモニタ及び／又は録画することができ、建造物に対する不審者の侵入を監視したり録画したりして不審者の姿、顔を確認でき効果的な防犯又は事後対策機能を実現できる。
【００１１】
請求項３記載の考案によれば、請求項２記載の考案と同様な作用、効果を発揮するとともに、前記ポールに防犯ライトを組み込んでいるので、防犯ライトによる照明光の照射によって不審者を威嚇し退散させることも可能となる。
【００１２】
請求項４記載の考案によれば、請求項３記載の考案と同様な作用、効果を発揮するとともに、前記ポールに発音手段を組み込んでいるので、発音手段による警告メッセージ又は警告音の発音を行うことにり、建造物に不審者が侵入しようとする際に音により威嚇し、退散させることが可能となる。
【００１３】
請求項５記載の考案によれば、建造物の玄関、庭先等に不審者が接近した場合に、不審者に撮像手段の存在を悟られることなく雨樋状の立設体の小穴に撮像面を臨ませて組み込んだ撮像手段により不審者の顔画像を明瞭に撮像し、屋内において画像監視手段により撮像画像をモニタ及び／又は録画することができ、十分な防犯機能を発揮し得る防犯装置を提供することができる。
【００１４】
請求項６記載の考案によれば、建造物の玄関、庭先等に不審者が接近した場合に、検出手段により不審者の存在を検出し、これを基に不審者に撮像手段の存在を悟られることなく雨樋状の立設体の小穴に撮像面を臨ませて組み込んだ撮像手段により不審者の顔画像を明瞭に撮像し、撮像手段による撮像画像を画像監視手段によりモニタ及び／又は録画することができ、建造物に対する不審者の侵入を監視したり録画したりして屋内において不審者の姿、顔を確認でき効果的な防犯又は事後対策機能を実現できる。
【００１５】
請求項７記載の考案によれば、請求項６記載の考案と同様な作用、効果を発揮するとともに、前記立設体に発音手段を組み込んでいるので、発音手段による警告メッセージ又は警告音の発音を行うことにり、建造物に不審者が侵入しようとする際に音により威嚇し、退散させることが可能となる。
【考案を実施するための最良の形態】
【００１６】
建造物の玄関、庭先等に不審者が接近した場合に監視カメラの設置箇所の判断が難しく、且つ、不審者の顔画像を明瞭に撮像することができ、十分な防犯機能を発揮し得る防犯装置を提供するという目的を、建造物の出入口、周辺、庭先等から選ばれる位置に立設配置した一定長さ又は伸縮可能で設置位置の変更可能なポールと、該ポールにおける被撮像者の顔位置に相当する高さの位置に設けた小穴に撮像面を臨ませて組み込んだ撮像手段と、前記ポールに組み込んだ被撮像者を検出する検出手段と、前記撮像手段による撮像画像をモニタ及び／又は録画する画像監視手段と、前記検出手段による被撮像者の検出信号を基に撮像手段の撮像制御及び前記画像監視手段のモニタ及び／又は録画の制御を行う制御手段とを有する構成により実現した。
【実施例】
【００１７】
以下に、本考案の実施例を詳細に説明する。
（実施例１）
図１乃至図８を参照して本考案の実施例１の防犯装置１について説明する。
【００１８】
本実施例１の防犯装置１は、例えば図１に示す一般住宅のような建造物５０に設置して防犯機能を発揮するように構成したものであり、不審者Ｍの検出、撮像等を行う要素を組み込んだ全長が例えば２ｍ程度に形成した可搬型のポール２を、建造物５０の玄関５１周辺、勝手口５２周辺、庭先５３等に任意個数設置したことが特徴である。ポール２の外周面の色彩としては、ホワイト、グレー、ブラウン、グリーン等種々の色彩を選択することができる。
【００１９】
前記ポール２は、図２に示すように、基台３から筒状の支柱４を鉛直上方に立設するとともに、支柱４の上端部には照明光を発する防犯ライト５を取り付けている。
【００２０】
また、支柱４における被撮像者（例えば不審者Ｍ）の顔位置に相当する高さ（例えば地面から１ｍ乃至１．８ｍの範囲から選択される高さ）の位置に小穴６を設け、この小穴６から支柱４の外方に向けて撮像面を臨ませる状態で撮像手段である小型カメラ（例えばＣＣＤカメラ）７を内蔵している。
【００２１】
更に、支柱４における前記小型カメラ７の内蔵位置の近傍にも小穴８を設けて、この小穴８から支柱４の外方に向けて検出面を臨ませる状態で例えば不審者Ｍの接近を検出するセンサ９を内蔵している。
また、支柱４には警報音声、警報音等を発するスピーカ又はブザー等の発音手段１１を内蔵している。図２中、１０は電源ケーブル、信号ケーブルを内蔵した配線ケーブル、１２は支柱４の下部に配置した配線ボックスである。
【００２２】
前記建造物５０の内部の任意の箇所、例えばリビングルーム５４には、画像出力を行う画像モニタ５５、画像録画用の録画部５６からなる画像監視手段５７を配置している。
上記画像モニタ５５としては、既存のＣＲＴ型又は液晶型等からなるテレビジョン、更には、この防犯装置１専用の画像モニタのいずれかを用いることができる。上記録画部５６としては、ビデオテープレコーダ、ハードディスク型録画装置、ＤＶＤ型録画装置等の種々の録画手段を用いることができる。
【００２３】
次に、図３を参照して本実施例１の防犯装置１の制御系につい説明する。
防犯装置１は、全体の制御を行う制御部２０を具備し、この制御部２０により前記センサ９による不審者Ｍの検出信号を基に小型カメラ７の撮像制御、前記防犯ライト５の点灯制御、前記発音手段１１の発音制御、前記画像監視手段５７における録画部５６の録画制御、前記画像モニタ５５の画像出力制御を行うように構成している。
【００２４】
本実施例１の防犯装置１によれば、建造物５０の玄関５１周辺、勝手口５２周辺、庭先５３等に前記ポール２を任意個数設置し、建造物５０内の例えばリビングルーム５４に画像モニタ５５、録画部５６を設置して置くことにより不審者Ｍの侵入に対する効果的な防犯機能を発揮させることができる。
【００２５】
すなわち、例えば建造物５０の玄関５１の周辺に設置したポール２に不審者Ｍが接近したとすると、前記センサ９が不審者Ｍの存在を検出し、その検出信号が配線ケーブル１０を介して制御部２０に送られる。
【００２６】
これにより、制御部２０の制御の基に前記小型カメラ７が作動して、不審者Ｍを撮像し、撮像信号が配線ケーブル１０を介して制御部２０に送られ、制御部２０による録画部５６の録画制御、画像モニタ５５の画像出力制御が実行されて、不審者Ｍの画像が録画部５６により録画され、更には画像モニタ５５の画面に画像出力される。
従って、建造物５０に対する不審者Ｍの侵入を監視したり録画したりして不審者Ｍの姿を屋内において確認でき、効果的な防犯又は事後対策機能を実現できる。
【００２７】
更には、前記センサ９の検出信号に基づいて制御部２０により前記防犯ライト５の点灯制御、前記発音手段１１の発音制御を行い、防犯ライト５による照明光の照射、前記発音手段１１による警告メッセージ又は警告音の発音を行うことにり、建造物５０に不審者Ｍが侵入しようとする際の威嚇を実行でき、不審者Ｍを退散させることも可能となる。
【００２８】
特に、本実施例１の防犯装置１によれば、前記支柱４における例えば不審者Ｍの顔位置に相当する高さの位置に小穴６を設け、この小穴６から支柱４の外方に向けて撮像面を臨ませる状態で小型カメラ７を内蔵し、更にその近傍の小穴８から支柱４の外方に向けて検出面を臨ませる状態で不審者Ｍの接近を検出するセンサ９を内蔵している構成であるため、建造物５０に不審者Ｍが侵入しようとする際に支柱４を不審者Ｍが視認したとしても、小型カメラ７やセンサ９が存在していることを判断することは困難であり、これにより不審者Ｍが小型カメラ７による撮像領域を避けて建造物５０に侵入することは殆ど不可能となり効果的な防犯又は事後対策機能を確実に実現できる。
【００２９】
また、小型カメラ７の設置位置が不審者Ｍの顔位置に相当する高さとなっており、且つ、小穴６から支柱４の外方に向けて撮像面を臨ませる状態で小型カメラ７を配置していることから、従来例と異なり不審者Ｍの顔の画像を小型カメラ７により感度良く明瞭に撮像することができ、この点からも効果的な防犯又は事後対策機能を確実に実現できる。
【００３０】
図４乃至図８は、各々前記ポールの変形例を示すものである。
図４に示すポール２Ａは、前記ポール２と略同様な構成であるが、伸縮可能な支柱４Ａを採用したことが特徴である。
すなわち、支柱４Ａは、基台３から筒状の下部支柱４ｂを鉛直上方に立設して、この下部支柱４ｂに対して前記支柱４と同様な各要素を取り付け又は内蔵した上部支柱４ｃを鉛直方向に伸縮可能に嵌合することにより構成している。ポール２Ａの外周面の色彩としては、前記ポール２と同様ホワイト、グレー、ブラウン、グリーン等種々の色彩を選択することができる。
【００３１】
図４に示すポール２Ａを採用した防犯装置１によれば、前記ポール２を採用した防犯装置１と同様な作用、効果を発揮するとともに、前記上部支柱４ｃを下部支柱４ｂに対して伸縮可能としているので、上部支柱４ｃに組み込んだ小型カメラ７やセンサ９の高さを適宜調整することができ、これにより、不審者Ｍの存在検出位置や顔の撮像位置を最適化してより確実に防犯又は事後対策機能を実現できる。
【００３２】
図５に示すポール２Ｂは、前記ポール２と略同様な構成であるが、小型カメラ７やセンサ９の角度調整を可能にしたことが特徴である。
すなわち、ポール２Ｂは、基台３上に筒状の支持筒４ｄを配置し、この支持筒４ｄにより、前記支柱４と同様な各要素を取り付け又は内蔵し、途中で折曲形成した上部回転支柱４ｅを例えば３６０度回転可能に支持するように構成している。
【００３３】
図５に示すポール２Ｂを採用した防犯装置１によれば、前記ポール２を採用した防犯装置１と同様な作用、効果を発揮するとともに、上部回転支柱４ｅを３６０度回転可能に構成しているので、小型カメラ７の撮像面やセンサ９の検出面の向く方向をこのポール２Ｂの設置箇所、すなわち、玄関５１周辺、勝手口５２周辺、庭先５３等に応じて適宜角度調整でき、各々の箇所で最適な状態で不審者Ｍの存在検出や顔の撮像を行うことができる。
【００３４】
図６に示すポール２Ｃは、前記ポール２と略同様な構成であるが、支柱４に防犯ライト５、小型カメラ７、センサ９のみを組み込んだことが特徴である。
【００３５】
図６に示すポール２Ｃを採用した防犯装置１によれば、前記ポール２を採用した防犯装置１における発音手段１１による警告メッセージ又は警告音の発音機能の点を除いて前記ポール２を採用した防犯装置１の場合と同様な作用、効果を発揮させることができる。
【００３６】
図７に示すポール２Ｄは、前記ポール２と略同様な構成であるが、支柱４に小型カメラ７、センサ９のみを組み込んだことが特徴である。
【００３７】
図７に示すポール２Ｄを採用した防犯装置１によれば、前記ポール２を採用した防犯装置１における発音手段１１による警告メッセージ又は警告音の発音機能及び防犯ライト５による照明機能の点を除いて前記ポール２を採用した防犯装置１の場合と同様な作用、効果を発揮させることができる。
【００３８】
図８に示すポール２Ｅは、前記ポール２と略同様な構成であるが、支柱４に小型カメラ７のみを組み込んだことが特徴である。
【００３９】
図８に示すポール２Ｅを採用した防犯装置１によれば、小型カメラ７を常時作動状態としておくことにより、不審者の侵入を常時監視する常時監視型の防犯装置１を構成することかできる。
【００４０】
なお、図６乃至図８に示す各ポール２Ｃ、２Ｄ、２Ｅは、各々図４に示すポール２Ａのような伸縮型、図５に示すポール２Ｂのような角度調整型としても構成できることはもちろんである。
【００４１】
（実施例２）
次に、図９乃至１１を参照して本考案の実施例２の防犯装置１について説明する。
【００４２】
本実施例２の防犯装置１は、図９に示すように、建造物５０における例えば玄関５１の周辺に、雨樋状に形成し、前記ポール２と同様な機能を有する立設体３０をこの建造物５０の壁面に沿って立設し、外観を疑似雨樋風に構成したことが特徴である。
【００４３】
立設体３０の外周面の色彩としては、ホワイト、グレー、ブラウン、グリーン等種々の色彩を選択することができる。
【００４４】
前記立設体３０は、図１０に示すように、被撮像者（例えば不審者Ｍ）の顔位置に相当する高さ（例えば地面から１ｍ乃至１．８ｍの範囲から選択される高さ）の位置に小穴３１を設け、この小穴３１から立設体３０の外方に向けて撮像面を臨ませる状態で撮像手段である小型カメラ（例えばＣＣＤカメラ）７を内蔵している。
【００４５】
更に、立設体３０における前記小型カメラ７の内蔵位置の近傍にも小穴３２を設け、この小穴３２から立設体３０の外方に向けて検出面を臨ませる状態で例えば不審者Ｍの接近を検出するセンサ９を内蔵している。また、前記立設体３０には警報音声、警報音等を発するスピーカ又はブザー等の発音手段１１を内蔵している。
【００４６】
前記立設体３０は、上述した場合の他、勝手口５２の周辺、その他建造物５０の個々の窓の周辺等に適宜配置する。本実施例２の防犯装置１においても図示しないが実施例１の場合と同様な画像モニタ５５、録画部５６、更には制御系を具備している。
【００４７】
本実施例２の防犯装置１によっても、不審者Ｍの侵入に対する効果的な防犯機能を発揮させることができる。
【００４８】
すなわち、例えば建造物５０の玄関５１の周辺に設置した雨樋状の立設体３０に不審者Ｍが接近したとすると、前記センサ９が不審者Ｍの存在を検出し、その検出信号が配線ケーブル１０を介して制御部２０に送られる。
【００４９】
これにより、制御部２０の制御の基に前記小型カメラ７が作動して、不審者Ｍを撮像し、撮像信号が配線ケーブル１０を介して制御部２０に送られ、制御部２０による録画部５６の録画制御、画像モニタ５５の画像出力制御が実行されて、不審者Ｍの画像が録画部５６により録画され、更には画像モニタ５５の画面に画像出力される。
従って、建造物５０の玄関５１に対する不審者Ｍの侵入を監視したり録画したりして不審者Ｍの姿を確認でき効果的な防犯又は事後対策機能を実現できる。
【００５０】
更には、前記センサ９の検出信号に基づいて制御部２０により前記発音手段１１の発音制御を行い、前記発音手段１１による警告メッセージ又は警告音の発音を行うことにり、建造物５０に不審者Ｍが侵入しようとする際の威嚇を実行でき、屋内において不審者Ｍを退散させることも可能となる。
【００５１】
また、本実施例２の防犯装置１によれば、前記立設体３０における例えば不審者Ｍの顔位置に相当する高さの位置に小穴３１を設け、この小穴３１から立設体３０の外方に向けて撮像面を臨ませる状態で小型カメラ７を内蔵し、更にその近傍の小穴３２から立設体３０の外方に向けて検出面を臨ませる状態で不審者Ｍの接近を検出するセンサ９を内蔵している構成であることから、建造物５０の玄関５１に不審者Ｍが侵入しようとする際に立設体３０を不審者Ｍが視認したとしても、小型カメラ７やセンサ９が存在していることを判断することは困難であり、これにより、不審者Ｍが小型カメラ７による撮像領域を避けて建造物５０の玄関５１に侵入することは殆ど不可能となり効果的な防犯又は事後対策機能を確実に実現できる。
【００５２】
更に、小型カメラ７の設置位置が不審者Ｍの顔位置に相当する高さとなっており、且つ、小穴３１から立設体３０の外方に向けて撮像面を臨ませる状態で小型カメラ７を配置していることから、従来例と異なり不審者Ｍの顔の画像を小型カメラ７により感度良く明瞭に撮像することができ、この点からも効果的な防犯又は事後対策機能を確実に実現できる。
【００５３】
図１１は立設体３０の変形例である立設体３０Ａを示すものであり、この立設体３０Ａは、小型カメラ７、センサ９のみを組み込んだことが特徴である。
【００５４】
前記立設体３０Ａは、図１１に示すように、被撮像者（例えば不審者Ｍ）の顔位置に相当する高さ（例えば地面から１ｍ乃至１．８ｍの範囲から選択される高さ）の位置に小穴３１を設け、この小穴３１から立設体３０の外方に向けて撮像面を臨ませる状態で撮像手段である小型カメラ７を内蔵している。
【００５５】
更に、立設体３０Ａにおける前記小型カメラ７の内蔵位置の近傍にも小穴３２を設け、この小穴３２から立設体３０の外方に向けて検出面を臨ませる状態で例えば不審者Ｍの接近を検出するセンサ９を内蔵している。
【００５６】
図１１に示す立設体３０Ａを採用した防犯装置１によれば、前記立設体３０を採用した防犯装置１における発音手段１１による警告メッセージ又は警告音の発音機能の点を除いて、前記立設体３０を採用した防犯装置１の場合と同様な作用、効果を発揮させることができる。
【００５７】
図１２は立設体３０の他の変形例である立設体３０Ｂを示すものであり、この立設体３０Ｂは、小型カメラ７のみを組み込んだことが特徴である。
【００５８】
前記立設体３０Ｂは、図１２に示すように、被撮像者（例えば不審者Ｍ）の顔位置に相当する高さ（例えば地面から１ｍ乃至１．８ｍの範囲から選択される高さ）の位置に小穴３１を設け、この小穴３１から立設体３０の外方に向けて撮像面を臨ませる状態で撮像手段である小型カメラ７を内蔵している。
【００５９】
図１２に示す立設体３０Ｂを採用した防犯装置１によれば、小型カメラ７を常時作動状態としておくことにより、不審者の侵入を常時監視する常時監視型の防犯装置１を構成することかできる。
【００６０】
なお、前記立設体３０Ａ、３０Ｂの外周面の色彩としては、各々ホワイト、グレー、ブラウン、グリーン等種々の色彩を選択することができる。
【産業上の利用可能性】
【００６１】
本考案は、上述した一般住宅のような建造物５０に適用する場合の他、商店街、各種ビィルディング、公共施設等の各種建造物やこれらの庭先、出入口周辺等に幅広く適用可能である。
【図面の簡単な説明】
【００６２】
【図１】本考案の実施例１の防犯装置を設置した建造物の概略斜視図である。
【図２】本実施例１のポールを示す斜視図である。
【図３】本実施例１の防犯装置の制御系を示すブロック図である。
【図４】本実施例１のポールの変形例を示す斜視図である。
【図５】本実施例１のポールの他の変形例を示す斜視図である。
【図６】本実施例１の更に他の変形例を示す斜視図である。
【図７】本実施例１の更に他の変形例を示す斜視図である。
【図８】本実施例１の更に他の変形例を示す斜視図である。
【図９】本考案の実施例２の防犯装置を設置した建造物の玄関部分の概略拡大斜視図である。
【図１０】本実施例２の立設体を示す斜視図である。
【図１１】本実施例２の立設体の変形例を示す斜視図である。
【図１２】本実施例２の立設体の他の変形例を示す斜視図である。
【符号の説明】
【００６３】
１    防犯装置
２    ポール
２Ａ  ポール
２Ｂ  ポール
２Ｃ  ポール
２Ｄ  ポール
２Ｅ  ポール
３    基台
４    支柱
４Ａ  支柱
４ｂ  下部支柱
４ｃ  上部支柱
４ｄ  支持筒
４ｅ  上部回転支柱
５    防犯ライト
６    小穴
７    小型カメラ
８    小穴
９    センサ
１０    配線ケーブル
１１    発音手段
１２    配線ボックス
２０    制御部
３０    立設体
３０Ａ  立設体
３０Ｂ  立設体
３１    小穴
３２    小穴
５０    建造物
５１    玄関
５２    勝手口
５３    庭先
５４    リビングルーム
５５    画像モニタ
５６    録画部
５７    像監視手段
Ｍ    不審者
【図１】
0003109373.tif 000003
【図２】
0003109373.tif 000004
【図３】
0003109373.tif 000005
【図４】
0003109373.tif 000006
【図５】
0003109373.tif 000007
【図６】
0003109373.tif 000008
【図７】
0003109373.tif 000009
【図８】
0003109373.tif 000010
【図９】
0003109373.tif 000011
【図１０】
0003109373.tif 000012
【図１１】
0003109373.tif 000013
【図１２】
0003109373.tif 000014